(57)【要約】【課題】生体情報を取得可能で、腕に装着する携帯デバイスを用いた決済システム等を提供する【解決手段】スポーツ観戦施設等の会場で、生体情報を取得可能な携帯デバイス１０を腕に装着し、まず、初期登録装置２０に近距離通信により携帯デバイス１０のＩＤと生体情報を送り、初期登録装置２０によりクレジットカード情報を登録する。初期登録装置２０は、ネットワークを介して認証サーバ４０と接続され、取得した生体情報とクレジットカード情報をデバイスＩＤに対応づけて登録する。会場の店舗で商品等を購入する際、決済装置３０に携帯デバイス１０を近付け、新たに取得した生体情報がデバイスＩＤとともに決済装置３０に送る。決済装置３０は、認証サーバ４０に生体情報とデバイスＩＤ、商品購入額を送り、認証サーバ４０は生体情報による個人認証を行い、認証された場合には、決済サーバ５０にクレジットカード情報と商品購入額を送って、決済処理を行う。【選択図】図１
2015055952.tif 000002
【特許請求の範囲】
【請求項１】
使用者が腕に装着する携帯デバイスと決済装置とが近距離無線通信により接続されるとともに、前記決済装置と認証サーバとがネットワークを介して接続される決済システムであって、
前記携帯デバイスは、
装着している前記使用者の生体情報を取得する生体情報取得手段と、
前記決済装置と近距離無線通信を行う無線通信手段と、を具備し、
前記決済装置は、
決済時に、前記携帯デバイスから、前記携帯デバイスの識別情報及び前記生体情報を、近距離無線通信により取得する取得手段と、
取得した前記携帯デバイスの識別情報及び前記生体情報と、商品購入情報とを、前記認証サーバに送信する送信手段と、を具備し、
前記認証サーバは、
前記決済装置から、前記携帯デバイスの識別情報、前記生体情報、及び前記商品購入情報を受信する受信手段と、
前記携帯デバイスの識別情報に対応して予め登録された前記生体情報と、受信した前記生体情報とを照合し、前記使用者の認証を行う認証手段と、
前記使用者の認証をした場合に、決済処理を行う決済処理手段と、を具備する
ことを特徴とする決済システム。
【請求項２】
前記ネットワークには、さらに、決済サーバが接続され、
前記認証サーバの決済処理手段は、前記携帯デバイスの識別情報に対応して予め登録されたカード情報と、前記商品購入情報とを、前記決済サーバに送信する前記決済処理を行い、
前記決済サーバは、
受信した前記カード情報と、前記商品購入情報とに基づき、決済を行う決済手段、を具備する
ことを特徴とする請求項１に記載の決済システム。
【請求項３】
前記ネットワークには、さらに、決済サーバが接続され、
前記認証サーバの決済処理手段は、前記携帯デバイスの識別情報と、前記商品購入情報とを、前記決済サーバに送信する前記決済処理を行い、
前記決済サーバは、
受信した前記携帯デバイスの識別情報に対応して予め登録されたデポジット情報と、前記商品購入情報とに基づき、決済を行う決済手段、を具備する
ことを特徴とする請求項１に記載の決済システム。
【請求項４】
前記携帯デバイスは、さらに、
腕に装着されていない時間を計測し、所定の時間を超えたか否かを判定する計測手段と、
前記所定の時間を超えた場合に、前記認証サーバに対して、前記携帯デバイスの識別情報とともに非常用信号を送信する非常用信号送信手段と、を具備し、
前記認証サーバは、さらに、
前記非常用信号を受信した場合に、前記携帯デバイスの識別情報に対応して登録されている情報を削除する削除手段、を具備する
ことを特徴とする請求項１乃至請求項３のいずれかに記載の決済システム。
【請求項５】
前記携帯デバイスは、さらに、
腕に装着されているか否かを検出するセンサ、を具備する
ことを特徴とする請求項１乃至請求項４のいずれかに記載の決済システム。
【請求項６】
前記センサは、前記生体情報取得手段により前記生体情報が取得できない場合に、前記携帯デバイスが腕に装着されていないと判断する
ことを特徴とする至請求項５に記載の決済システム。
【請求項７】
前記生体情報は、静脈パターン、筋電パターン、又は、指紋のいずれかである
ことを特徴とする請求項１乃至請求項６のいずれかに記載の決済システム。
【請求項８】
使用者が腕に装着する携帯デバイスと決済装置とが近距離無線通信により接続されるとともに、前記決済装置と認証サーバとがネットワークを介して接続される決済システムにおける決済方法であって、
前記携帯デバイスは、
装着している前記使用者の生体情報を取得する生体情報取得ステップと、
前記決済装置と近距離無線通信を行う無線通信ステップと、を含み、
前記決済装置は、
決済時に、前記携帯デバイスから、前記携帯デバイスの識別情報及び前記生体情報を、近距離無線通信により取得する取得ステップと、
取得した前記携帯デバイスの識別情報及び前記生体情報と、商品購入情報とを、前記認証サーバに送信する送信ステップと、を含み、
前記認証サーバは、
前記決済装置から、前記携帯デバイスの識別情報、前記生体情報、及び前記商品購入情報を受信する受信ステップと、
前記携帯デバイスの識別情報に対応して予め登録された前記生体情報と、受信した前記生体情報とを照合し、前記使用者の認証を行う認証ステップと、
前記使用者の認証をした場合に、決済処理を行う決済処理ステップと、を含む
ことを特徴とする決済方法。
【請求項９】
腕に装着している使用者の生体情報を取得する携帯デバイスから、決済時に、近距離無線通信により前記携帯デバイスの識別情報及び前記生体情報を取得する決済装置と、ネットワークを介して接続された認証サーバであって、
前記決済装置から、前記携帯デバイスの識別情報、前記生体情報、及び商品購入情報を受信する受信手段と、
前記携帯デバイスの識別情報に対応して予め登録された前記生体情報と、受信した前記生体情報とを照合し、前記使用者の認証を行う認証手段と、
前記使用者の認証をした場合に、決済処理を行う決済処理手段と、
を具備することを特徴とする認証サーバ。
【請求項１０】
腕に装着している使用者の生体情報を取得する携帯デバイスから、決済時に、近距離無線通信により前記携帯デバイスの識別情報及び前記生体情報を取得する決済装置と、ネットワークを介して接続された認証サーバにおける認証方法であって、
前記決済装置から、前記携帯デバイスの識別情報、前記生体情報、及び商品購入情報を受信する受信ステップと、
前記携帯デバイスの識別情報に対応して予め登録された前記生体情報と、受信した前記生体情報とを照合し、前記使用者の認証を行う認証ステップと、
前記使用者の認証をした場合に、決済処理を行う決済処理ステップと、
を含むことを特徴とする認証方法。
【請求項１１】
コンピュータを、腕に装着している使用者の生体情報を取得する携帯デバイスから、決済時に、近距離無線通信により前記携帯デバイスの識別情報及び前記生体情報を取得する決済装置と、ネットワークを介して接続された認証サーバとして機能させるためのプログラムであって、
前記コンピュータを、
前記決済装置から、前記携帯デバイスの識別情報、前記生体情報、及び商品購入情報を受信する受信手段、
前記携帯デバイスの識別情報に対応して予め登録された前記生体情報と、受信した前記生体情報とを照合し、前記使用者の認証を行う認証手段、
前記使用者の認証をした場合に、決済処理を行う決済処理手段、
として機能させるためのプログラム。
【発明の詳細な説明】
【技術分野】
【０００１】
本発明は、決済システムに関し、更に詳しくは、腕に装着する生体情報を取得可能な携帯デバイスを用いた決済システム等に関する。
【背景技術】
【０００２】
従来、腕時計等の携帯デバイスを用いた認証システムが提案されている（例えば、特許文献１、特許文献２）。
【０００３】
特許文献１は、腕等に装着する携帯デバイスにより外部のネットワークとの接続の可否を認証するシステムを提案している。
【０００４】
携帯デバイスの初期装着時に、携帯デバイスに装備されている入力により認証用データを入力し、携帯デバイスに設けられた記憶手段に認証用データを記憶させ、認証が必要になった時点で、携帯デバイスの記憶手段に記憶されている認証用データを符号化して通信接続装置に送信し、通信接続装置が有する認証制御部が外部のネットワークとの接続について認証処理を行うものである。
【０００５】
また、特許文献２は、静脈パターンによる生体認証により種々のサービスを提供するシステムを提案している。
携帯電話、または、ＩＣカードに指の静脈パターンによる認証手段を内蔵し、メモリに記憶された静脈認証情報と照合し、認証された場合に、外部の各種サービス提供システムにログイン可能とし、例えば、食事情報に応じてトレーニングメニューを提供したり、認証結果に従った勤怠管理、入室管理等が行われるものである。
【先行技術文献】
【特許文献】
【０００６】
【特許文献１】特許第４１２６３８５号公報
【特許文献２】特開２０１１−８２７５６号公報
【発明の概要】
【発明が解決しようとする課題】
【０００７】
しかしながら、特許文献１及び特許文献２のシステムは、認証データを腕に装着する携帯デバイスや携帯電話の記憶部に記憶させて保持するため、認証処理手段を携帯デバイスに設ける必要があり、安価に製造できないという問題があった。
【０００８】
また、特許文献１及び特許文献２のシステムでは、携帯デバイスによる決済システムは考慮されていない。
【０００９】
最近では、サッカー等のスポーツ観戦施設等での商品購入の決済を、予めユーザにより購入されたデポジットカードで行う決済システムが導入されつつある。
しかしながら、上記のデポジットカードでは、個人認証機能はなく、落としたデポジットカードを他人が使用することが可能であるという問題がある。
【００１０】
本発明は、前述した問題点に鑑みてなされたものであり、その目的とするところは、生体情報を取得可能で、腕に装着する携帯デバイスを用いた決済システム等を提供することにある。
【課題を解決するための手段】
【００１１】
前述した目的を達成するために、第１の発明は、使用者が腕に装着する携帯デバイスと決済装置とが近距離無線通信により接続されるとともに、前記決済装置と認証サーバとがネットワークを介して接続される決済システムであって、前記携帯デバイスは、装着している前記使用者の生体情報を取得する生体情報取得手段と、前記決済装置と近距離無線通信を行う無線通信手段と、を具備し、前記決済装置は、決済時に、前記携帯デバイスから、前記携帯デバイスの識別情報及び前記生体情報を、近距離無線通信により取得する取得手段と、取得した前記携帯デバイスの識別情報及び前記生体情報と、商品購入情報とを、前記認証サーバに送信する送信手段と、を具備し、前記認証サーバは、前記決済装置から、前記携帯デバイスの識別情報、前記生体情報、及び前記商品購入情報を受信する受信手段と、前記携帯デバイスの識別情報に対応して予め登録された前記生体情報と、受信した前記生体情報とを照合し、前記使用者の認証を行う認証手段と、前記使用者の認証をした場合に、決済処理を行う決済処理手段と、を具備することを特徴とする決済システムである。
第１の発明により、腕に装着する生体情報を取得可能な携帯デバイスを用いて、簡便に決済することができる。
【００１２】
また、前記ネットワークには、さらに、決済サーバが接続され、前記認証サーバの決済処理手段は、前記携帯デバイスの識別情報に対応して予め登録されたカード情報と、前記商品購入情報とを、前記決済サーバに送信する前記決済処理を行い、前記決済サーバは、受信した前記カード情報と、前記商品購入情報とに基づき、決済を行う決済手段、を具備することが望ましい。
これによって、予め登録されたカード情報を利用して、腕に装着する生体情報を取得可能な携帯デバイスを用いて、簡便に決済することができる。
【００１３】
また、前記ネットワークには、さらに、決済サーバが接続され、前記認証サーバの決済処理手段は、前記携帯デバイスの識別情報と、前記商品購入情報とを、前記決済サーバに送信する前記決済処理を行い、前記決済サーバは、受信した前記携帯デバイスの識別情報に対応して予め登録されたデポジット情報と、前記商品購入情報とに基づき、決済を行う決済手段、を具備することが望ましい。
これによって、予め登録されたデポジット情報を利用して、腕に装着する生体情報を取得可能な携帯デバイスを用いて、簡便に決済することができる。
【００１４】
また、前記携帯デバイスは、さらに、腕に装着されていない時間を計測し、所定の時間を超えたか否かを判定する計測手段と、前記所定の時間を超えた場合に、前記認証サーバに対して、前記携帯デバイスの識別情報とともに非常用信号を送信する非常用信号送信手段と、を具備し、前記認証サーバは、さらに、前記非常用信号を受信した場合に、前記携帯デバイスの識別情報に対応して登録されている情報を削除する削除手段、を具備することが望ましい。
これによって、腕に装着されていない時間が所定の時間を超えた場合に、登録されている情報を削除することによって、携帯デバイスのセキュリティを高めることができる。
【００１５】
また、前記携帯デバイスは、さらに、腕に装着されているか否かを検出するセンサ、を具備することが望ましい。
これによって、携帯デバイスは、腕に装着されているか否かを検出することができる。
【００１６】
また、前記センサは、前記生体情報取得手段により前記生体情報が取得できない場合に、前記携帯デバイスが腕に装着されていないと判断することが望ましい。
これによって、携帯デバイスは、生体情報が取得できるか否かによって、腕に装着されているか否かを検出することができる。
【００１７】
また、前記生体情報は、静脈パターン、筋電パターン、又は、指紋のいずれかであることが望ましい。
【００１８】
第２の発明は、使用者が腕に装着する携帯デバイスと決済装置とが近距離無線通信により接続されるとともに、前記決済装置と認証サーバとがネットワークを介して接続される決済システムにおける決済方法であって、前記携帯デバイスは、装着している前記使用者の生体情報を取得する生体情報取得ステップと、前記決済装置と近距離無線通信を行う無線通信ステップと、を含み、前記決済装置は、決済時に、前記携帯デバイスから、前記携帯デバイスの識別情報及び前記生体情報を、近距離無線通信により取得する取得ステップと、取得した前記携帯デバイスの識別情報及び前記生体情報と、商品購入情報とを、前記認証サーバに送信する送信ステップと、を含み、前記認証サーバは、前記決済装置から、前記携帯デバイスの識別情報、前記生体情報、及び前記商品購入情報を受信する受信ステップと、前記携帯デバイスの識別情報に対応して予め登録された前記生体情報と、受信した前記生体情報とを照合し、前記使用者の認証を行う認証ステップと、前記使用者の認証をした場合に、決済処理を行う決済処理ステップと、を含むことを特徴とする決済方法である。
第２の発明により、腕に装着する生体情報を取得可能な携帯デバイスを用いて、簡便に決済することができる。
【００１９】
第３の発明は、腕に装着している使用者の生体情報を取得する携帯デバイスから、決済時に、近距離無線通信により前記携帯デバイスの識別情報及び前記生体情報を取得する決済装置と、ネットワークを介して接続された認証サーバであって、前記決済装置から、前記携帯デバイスの識別情報、前記生体情報、及び商品購入情報を受信する受信手段と、前記携帯デバイスの識別情報に対応して予め登録された前記生体情報と、受信した前記生体情報とを照合し、前記使用者の認証を行う認証手段と、前記使用者の認証をした場合に、決済処理を行う決済処理手段と、を具備することを特徴とする認証サーバである。
第３の発明によって、腕に装着する生体情報を取得可能な携帯デバイスを用いて、簡便に決済することができる。
【００２０】
第４の発明は、腕に装着している使用者の生体情報を取得する携帯デバイスから、決済時に、近距離無線通信により前記携帯デバイスの識別情報及び前記生体情報を取得する決済装置と、ネットワークを介して接続された認証サーバにおける認証方法であって、前記決済装置から、前記携帯デバイスの識別情報、前記生体情報、及び商品購入情報を受信する受信ステップと、前記携帯デバイスの識別情報に対応して予め登録された前記生体情報と、受信した前記生体情報とを照合し、前記使用者の認証を行う認証ステップと、前記使用者の認証をした場合に、決済処理を行う決済処理ステップと、を含むことを特徴とする認証方法である。
第４の発明によって、腕に装着する生体情報を取得可能な携帯デバイスを用いて、簡便に決済することができる。
【００２１】
第５の発明は、コンピュータを、腕に装着している使用者の生体情報を取得する携帯デバイスから、決済時に、近距離無線通信により前記携帯デバイスの識別情報及び前記生体情報を取得する決済装置と、ネットワークを介して接続された認証サーバとして機能させるためのプログラムであって、前記コンピュータを、前記決済装置から、前記携帯デバイスの識別情報、前記生体情報、及び商品購入情報を受信する受信手段、前記携帯デバイスの識別情報に対応して予め登録された前記生体情報と、受信した前記生体情報とを照合し、前記使用者の認証を行う認証手段、前記使用者の認証をした場合に、決済処理を行う決済処理手段、として機能させるためのプログラムである。
第５の発明に係るプログラムを、汎用コンピュータにインストールすることによって、第３の発明に係る認証装置を得て、第４の発明に係る認証方法を実行することができる。
【００２２】
以上のように、本発明の決済システム等により、腕に携帯デバイスを装着しておけば、商品購入時に、現金支払いをすることなく、簡単に安全に商品購入の決済を行うことが可能になる。
【発明の効果】
【００２３】
本発明により、生体情報を取得可能で、腕に装着する携帯デバイスを用いた決済システム等を提供することが可能になる。
【図面の簡単な説明】
【００２４】
【図１】本発明の実施の形態に係る決済システム１の構成を示す図
【図２】携帯デバイス１０の外観の例を示す図
【図３】携帯デバイス１０の本体部分１５の構成例を示すブロック図
【図４】初期登録装置２０の構成例を示すブロック図
【図５】決済装置３０の構成例を示すブロック図
【図６】認証サーバ４０及び決済サーバ５０の構成例を示すブロック図
【図７】本発明の実施の携帯に係る決済システム１の初期登録処理の流れを示すフローチャート（クレジットカードを使用する場合について）
【図８】本発明の実施の携帯に係る決済システム１の決済処理の流れを示すフローチャート（クレジットカードを使用する場合について）
【図９】本発明の実施の携帯に係る決済システム１の初期登録処理の流れを示すフローチャート（デポジット方式の場合について）
【図１０】本発明の実施の携帯に係る決済システム１の決済処理の流れを示すフローチャート（デポジット方式の場合について）
【発明を実施するための形態】
【００２５】
以下、本発明の実施形態を、図面を参照しながら詳細に説明する。
【００２６】
図１は、本発明の実施形態に係る決済システム１の構成例を示す図である。
本発明の実施携帯に係る決済システム１は、例えば、サッカーや野球等のスポーツ観戦施設や、野外フェスティバルの会場等の特定の場所で、飲食物や土産物等の物品の購入時の決済を想定して構成された決済システムである。
【００２７】
決済システム１は、携帯デバイス１０、初期登録装置２０、決済装置３０、認証サーバ４０、決済サーバ５０で構成され、携帯デバイス１０と初期登録装置２０又は決済装置３０との間は近距離無線通信６０で接続可能であり、また、初期登録装置２０、決済装置３０、認証サーバ４０、決済サーバ５０はネットワーク７０を介して接続されている。
【００２８】
携帯デバイス１０は、後述するが、商品購入時に財布から現金やカードを取り出す手間を省き、また、他のものを持っていても簡単に決済を行うことを可能にするために、腕に装着するための形状を持つ。
また、携帯デバイス１０は、本人認証を行うための生体情報を取得する生体認証取得手段を具備する。
【００２９】
初期登録装置２０は、スポーツ観戦施設や、野外フェスティバルの会場等において、携帯デバイス１０を使用者が取得する場所に設置され、決済システム１の使用に先立ち、携帯デバイス１０の本人認証を行うための生体情報や、クレジットカード決済を行う場合のクレジットカードの登録処理を行う装置である。初期登録装置２０については後述する。
【００３０】
決済装置３０は、スポーツ観戦施設や野外フェスティバル等の会場の商品を販売する場所に設置され、携帯デバイス１０を装着している使用者が商品を購入する際に、携帯デバイス１０からの生体情報等を受取り、商品購入額の情報とともに認証サーバ４０に送る装置である。通常の店舗のレジの代わりに設置される。
決済装置３０については後述する。
【００３１】
認証サーバ４０は、携帯デバイス１０の本人認証を、生体情報を用いて行う。
決済サーバ５０は、認証サーバ４０において携帯デバイス１０の本人認証が成功した場合に、商品購入の決済処理を実行する。
認証サーバ４０及び決済サーバについては後述する。
【００３２】
図２は、携帯デバイス１０の外観例を示す図である。
図２（ａ）に示すように、携帯デバイス１０は、図２（ｂ）のように腕に装着できるよう、本体部分１５と、ベルト１１、ベルト通し１３の各部分で構成される。
【００３３】
本体部分１５の形状は問わないが、本体部分１５が図２（ｂ）に示すように、腕に本体部分１５の背面が密着する形状であることが望ましい。
また、本体部分１５には、液晶ディスプレイ等の表示ディスプレイ１７を装備するようにしてもよい。
【００３４】
携帯デバイス１０は、ベルト式の腕時計と同様に、腕の手首付近に巻き付けてベルト１１をベルト通し１３に通し、ベルト１１に複数設けられたベルト孔のいずれかにベルト通し１３の針を通すことにより、図２（ｂ）に示すように、手首にしっかりと装着される。
【００３５】
図３は、携帯デバイス１０の本体部分１５の構成例を示すブロック図である。
本体部分１５は、例えば、制御部１５１、記憶部１５２、近距離通信制御部１５３、表示部１５４、生体情報取得部１５５、ＯＮ／ＯＦＦ検出部１５６、電源部１５７等が、バス１５８を介して接続された構成である。
【００３６】
制御部６１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成されるＭＰＵ（Ｍｉｃｒｏ  Ｐｒｏｃｅｓｓｏｒ  Ｕｎｉｔ）である。
【００３７】
ＣＰＵは、記憶部１５２やＲＯＭに格納されているプログラムをＲＡＭ上のワークメモリ領域に呼び出して実行し、バス１５８を介して接続された各部分を駆動制御し、携帯デバイス１０の各処理を実行する。
記憶部１５２は、本体部分１５に収納可能な半導体メモリで構成可能であり、制御部１５１が実行するプログラム、プログラム実行に必要なデータ等が格納される。
【００３８】
近距離通信制御部１５３は、例えば、Ｂｌｕｅｔｏｏｔｈ（登録商標）、ＮＦＣ（ＮｅａｒＦｉｅｌｄ  Ｃｏｍｍｕｎｉｃａｔｉｏｎ）、ＲＦＩＤ（Ｒａｄｉｏ  Ｆｒｅｑｕｅｎｃｙ  Ｉｄｅｎｔｉｆｉｃａｔｏｉｎ）技術による無線通信等、種類は問わない。通信距離は１ｍ〜数ｃｍ程度であればよい。また、ＢＡＮ（Ｂｏｄｙ  Ａｒｅａ  Ｎｅｔｗｏｒｋ：人体通信）を利用することも可能である。
表示部１５４は、表示ディスプレイ１７を制御する。
【００３９】
生体情報取得部１５５は、生体情報を取得するためのモジュールである。
生体情報は、例えば、静脈パターン、筋電パターン、指紋等、種類は問わない。
公知の生体情報取得手段を用いてもよい。
【００４０】
生体情報として静脈パターンを使用する場合、静脈パターン取得モジュールを生体情報取得部１５５として搭載する。例えば、手首の静脈の位置に本体部分１５が略接触するように携帯デバイス１０を装着させ、本体部分１５の表示ディスプレイ１７とは相対する側に設けられる光学カメラで静脈パターンを撮像する。
生体情報取得部１５５で取得された静脈パターンの画像は記憶部１５２に格納される。
【００４１】
生体情報として筋電パターンを使用する場合、筋電パターン取得モジュールを生体情報取得部１５５として搭載する。例えば、本体部分１５の腕と接触する部分に設けた端子により皮膚表面の電位を収集すればよい。
また、腕以外の人体部分に筋電パターン取得モジュールを装着させて筋電パターンを収集し、生体情報取得部１５５がそのデータを有線、または、無線通信により取得するようにしてもよい。
取得した筋電パターン・データは記憶部１５２に格納される。
【００４２】
生体情報として指紋を使用する場合、指紋パターン取得モジュールを生体情報取得部１５５として搭載する。例えば、本体部分１５の上面に指を接触させて指紋パターンを撮像する光学カメラを設け、指紋パターンを採取するようにすればよい。
取得した指紋パターンは記憶部１５２に格納される。
【００４３】
ＯＮ／ＯＦＦ検出部１５６は、携帯デバイス１０が腕に装着されている（ＯＮ）か、装着されていない（ＯＦＦ）か、を検出する。
【００４４】
ＯＮ／ＯＦＦ検出部１５６は、例えば、携帯デバイス１０の本体部分１５の腕に接触する部分に圧力センサを設け、腕に携帯デバイス１０が接する圧力を検出した場合にはＯＮとし、圧力がかかっていない場合をＯＦＦとして、装着の有無を検出する。
【００４５】
また、生体情報取得部１５５により生体情報が取得されている場合はＯＮと判定し、生体情報が取得できない場合にＯＦＦとするようなＯＮ／ＯＦＦ検出部１５６を設けてもよい。
【００４６】
電源部１５７は、本体部分１５の各部分に電源を供給する。例えば、本体部分１５に収納可能な電池を用いて電源部１５７を構成する。
制御部１５１、記憶部１５２、近距離通信制御部１５３、表示部１５４、生体情報取得部１５５、ＯＮ／ＯＦＦ検出部１５６は、電源部１５７からの電力供給により稼働する。
【００４７】
図４は、初期登録装置２０の構成例を示すブロック図である。
初期登録装置２０は、携帯デバイス１０を使用者が取得した際に、当該使用者の生体情報と、クレジットカード等の決済用の情報を初期登録するための装置である。
【００４８】
初期登録装置２０は、例えば、制御部２１、記憶部２２、近距離通信制御部２３、通信制御部２４、入力部２５、表示部２６、磁気カードリーダー２７等がバス２８で接続された構成である。パーソナルコンピュータ等のコンピュータで構成することも可能である。
【００４９】
制御部２１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成される。
【００５０】
ＣＰＵは、記憶部２２、ＲＯＭ、記録媒体等に格納されるプログラムをＲＡＭ上のワークメモリ領域に呼び出して実行し、バス２８を介して接続された各装置を駆動制御し、初期登録処理を実行する。ＲＯＭは、不揮発性メモリであり、初期登録装置２０のブートプログラムやＢＩＯＳ等のプログラム、データ等を恒久的に保持している。ＲＡＭは、揮発性メモリであり、記憶部２２、ＲＯＭ、記録媒体等からロードしたプログラム、データ等を一時的に保持するとともに、制御部２１が各種処理を行う為に使用するワークエリアを備える。
【００５１】
記憶部２２は、ＨＤＤ（ハードディスクドライブ）等であり、制御部２１が実行するプログラム、プログラム実行に必要なデータ、ＯＳ（オペレーティングシステム）等が格納される。
プログラムは、例えば、携帯デバイス１０から携帯デバイス１０の使用者の生体情報を取得するプログラムや、携帯デバイス１０の使用者のクレジットカード情報を取得するプログラムや、取得した生体情報やクレジットカード情報を認証サーバ４０に送信するプログラム等である。
【００５２】
これらの各プログラムコードは、制御部２１により必要に応じて読み出されてＲＡＭに移され、ＣＰＵに読み出されて実行される。
【００５３】
近距離通信制御部２３は、例えば、Ｂｌｕｅｔｏｏｔｈ（登録商標）、ＮＦＣ（ＮｅａｒＦｉｅｌｄ  Ｃｏｍｍｕｎｉｃａｔｉｏｎ）、ＲＦＩＤ（Ｒａｄｉｏ  Ｆｒｅｑｕｅｎｃｙ  Ｉｄｅｎｔｉｆｉｃａｔｏｉｎ）技術による無線通信、ＢＡＮ等、種類は問わないが、携帯デバイス１０に搭載される近距離無線通信方式と同一の無線通信方式とする。
【００５４】
通信制御部２４は、通信制御装置、通信ポート等を有し、ネットワークを介して、認証サーバ４０や決済サーバ５０との通信を行う。
【００５５】
入力部２５は、データの入力を行い、例えば、キーボード、テンキー等の入力装置を有する。例えば、テンキー等により、携帯デバイス１０の使用者に、クレジットカードのセキュリティーコード等を入力させる。
表示部２６は、ＣＲＴモニタ、液晶パネル等のディスプレイ装置である。
【００５６】
磁気カードリーダー２７は、クレジットカードの磁気ストライプの情報を読み取る。
バス２８は、各装置間の制御信号、データ信号等の授受を媒介する経路である。
【００５７】
以上の構成の初期登録装置２０により、携帯デバイス１０を取得した使用者は、まず、使用者の生体情報と、クレジットカード情報を決済システム１に登録する処理を行う。初期登録処理の詳細については、後述する。
【００５８】
図５は、決済装置３０の構成例を示すブロック図である。
決済装置３０は、携帯デバイス１０を使用者が商品購入を行う際に、レジの役割をする装置である。
【００５９】
決済装置３０は、例えば、制御部３１、記憶部３２、近距離通信制御部３３、通信制御部３４、入力部３５、表示部３６、等がバス３８で接続された構成である。パーソナルコンピュータ等のコンピュータで構成することも可能である。
【００６０】
制御部３１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成され、ＣＰＵは、記憶部３２、ＲＯＭ、記録媒体等に格納されるプログラムをＲＡＭ上のワークメモリ領域に呼び出して実行し、バス３８を介して接続された各装置を駆動制御し、決済処理を実行する。
【００６１】
記憶部３２は、ＨＤＤ（ハードディスクドライブ）等であり、制御部３１が実行するプログラム、プログラム実行に必要なデータ、ＯＳ（オペレーティングシステム）等が格納される。
プログラムは、例えば、携帯デバイス１０から携帯デバイス１０の使用者の生体情報を取得するプログラムや、商品購入額を入力させるプログラムや、取得した生体情報等を認証サーバ４０に送信するプログラム等である。
これらの各プログラムコードは、制御部３１により必要に応じて読み出されてＲＡＭに移され、ＣＰＵに読み出されて実行される。
【００６２】
近距離通信制御部３３は、例えば、Ｂｌｕｅｔｏｏｔｈ（登録商標）、ＮＦＣ（ＮｅａｒＦｉｅｌｄ  Ｃｏｍｍｕｎｉｃａｔｉｏｎ）、ＲＦＩＤ（Ｒａｄｉｏ  Ｆｒｅｑｕｅｎｃｙ  Ｉｄｅｎｔｉｆｉｃａｔｏｉｎ）技術による無線通信、ＢＡＮ等、種類は問わないが、携帯デバイス１０に搭載される近距離無線通信方式と同一の無線通信方式とする。
【００６３】
通信制御部３４は、通信制御装置、通信ポート等を有し、ネットワークを介して、認証サーバ４０や決済サーバ５０との通信を行う。
【００６４】
入力部３５は、データの入力を行い、例えば、キーボード、テンキー等の入力装置を有する。例えば、店員等に、テンキー等により、購入金額等を入力させる。
表示部３６は、ＣＲＴモニタ、液晶パネル等のディスプレイ装置である。
バス３８は、各装置間の制御信号、データ信号等の授受を媒介する経路である。
【００６５】
以上の構成の決済装置３０により、携帯デバイス１０を取得した使用者が商品を購入する際、使用者の生体情報を携帯デバイス１０から取得し、商品購入額とともに認証サーバ４０に送り、携帯デバイス１０の使用者の認証処理を認証サーバ４０に行わせて、決済の可否を判定させ、決済サーバ５０による決済処理を行うが、決済処理の詳細については、後述する。
【００６６】
図６は、認証サーバ４０及び決済サーバ５０の構成例を示すブロック図である。
認証サーバ４０及び決済サーバ５０は、制御部４１、記憶部４２、メディア入出力部４３、通信制御部４４、入力部４５、表示部４６、周辺機器Ｉ／Ｆ部４７等が、バス４８を介して接続される。
【００６７】
制御部４１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成される。
ＣＰＵは、記憶部４２、ＲＯＭ、記録媒体等に格納されるプログラムをＲＡＭ上のワークメモリ領域に呼び出して実行し、バス４８を介して接続された各装置を駆動制御し、認証サーバ４０の場合は認証処理を、決済サーバ５０の場合は決済処理を実行する。ＲＯＭは、不揮発性メモリであり、認証サーバ４０、決済サーバ５０のブートプログラムやＢＩＯＳ等のプログラム、データ等を恒久的に保持している。ＲＡＭは、揮発性メモリであり、記憶部４２、ＲＯＭ、記録媒体等からロードしたプログラム、データ等を一時的に保持するとともに、制御部４１が各種処理を行う為に使用するワークエリアを備える。
【００６８】
記憶部４２は、ＨＤＤ（ハードディスクドライブ）等であり、制御部４１が実行するプログラム、プログラム実行に必要なデータ、ＯＳ（オペレーティングシステム）等が格納される。
プログラムは、例えば、認証サーバ４０の場合は、認証処理プログラムであり、決済サーバ５０の場合は、決済処理プログラムである。
これらの各プログラムコードは、制御部４１により必要に応じて読み出されてＲＡＭに移され、ＣＰＵに読み出されて実行される。
【００６９】
メディア入出力部４３（ドライブ装置）は、データの入出力を行い、例えば、ＣＤドライブ（−ＲＯＭ、−Ｒ、−ＲＷ等）、ＤＶＤドライブ（−ＲＯＭ、−Ｒ、−ＲＷ等）等のメディア入出力装置を有する。
通信制御部４４は、通信制御装置、通信ポート等を有し、ネットワークを介して、他の装置との通信制御を行う。
【００７０】
入力部４５は、データの入力を行い、例えば、キーボード、マウス等のポインティングデバイス、テンキー等の入力装置を有する。
表示部４６は、ＣＲＴモニタ、液晶パネル等のディスプレイ装置である。
【００７１】
周辺機器Ｉ／Ｆ（インタフェース）部４７は、周辺機器を接続させるためのポートであり、ＵＳＢ、ＩＥＥＥ１３９４、ＲＳ−２３２Ｃ等で構成され、接続形態は有線、無線を問わない。
バス４８は、各装置間の制御信号、データ信号等の授受を媒介する経路である。
【００７２】
次に、本実施の形態の決済システム１の処理の流れを、クレジットカードを使用する場合について図７及び図８に沿って説明する。
図７は、クレジットカードを使用する場合の初期登録処理の流れを示すフローチャートである。
【００７３】
（クレジットカードを使用した決済を行う決済システム１）
まず、スポーツ観戦施設や野外フェスティバル等の会場には、携帯デバイス１０を使用した決済システム１を実施するために、携帯デバイス１０を配布し、初期登録処理を行うことが可能な場所が設けられる。ここには、初期登録装置２０が設置される。
【００７４】
まず、携帯デバイス１０が配布された使用者に携帯デバイス１０を装着させる（ステップ１０１）。このとき、電源部１５７を稼働し、携帯デバイス１０の各部に電力を供給する。
【００７５】
携帯デバイス１０のＯＮ／ＯＦＦ検出部１５６がＯＮになると、携帯デバイス１０の制御部１５１は、生体情報取得部１５５を稼働し、生体情報を採取し、記憶部１５２に格納する（ステップ１０２）。
このとき、ＯＮ／ＯＦＦ検出部１５６の検出方法が生体情報の取得の有無である場合には、ステップ１０１の後、生体情報取得部１５５が稼働し、採取された生体情報は記憶部１５２に格納される。
【００７６】
次に、制御部１５１は、近距離通信制御部１５３を稼働する。
使用者が腕に装着した携帯デバイス１０を初期登録装置２０に近付けると（ステップ１０３）、携帯デバイス１０の近距離通信制御部１５３と初期登録装置２０の近距離通信制御部２３間で無線通信が成立し、携帯デバイス１０の制御部１５１は、近距離通信制御部１５３を介して、携帯デバイス１０のデバイスＩＤと、生体情報取得部１５５により取得された生体情報を初期登録装置２０に送り、初期登録装置２０の近距離通信制御部２３は、デバイスＩＤと生体情報を受信し、初期登録装置２０の制御部２１は、デバイスＩＤと生体情報を記憶部２２に格納する（ステップ１０４）。
【００７７】
携帯デバイス１０からデバイスＩＤ及び生体情報を受信すると、初期登録装置２０の制御部２１は、例えば、表示部２６にクレジットカードの情報を磁気カードリーダー２７から読み取らせるように指示し、使用者又は初期登録処理の担当者がクレジットカードを磁気カードリーダー２７に通すと、磁気カードリーダー２７はクレジットカードの識別番号等、磁気ストライプに記録されている情報を読み取る（ステップ１０５）。
【００７８】
次に、初期登録装置２０の制御部２１は、表示部２６にクレジットカードの暗証番号やセキュリティーコード等のセキュリティー情報を入力するように指示し、使用者にセキュリティー情報を入力させる（ステップ１０６）。
【００７９】
次に、初期登録装置２０の制御部２１は、通信制御部２４を稼働し、ネットワーク７０を介して認証サーバ４０との通信を確立し、携帯デバイス１０のデバイスＩＤ、及び、生体情報、及び、クレジットカードの識別番号とセキュリティー情報からなるクレジットカード情報を認証サーバ４０に送る（ステップ１０７）。
【００８０】
認証サーバ４０の制御部４１は、通信制御部４４を介してデバイスＩＤ、及び、生体情報、及び、クレジットカード情報を受け取り（ステップ１０８）、受けっとった情報を記憶部４２に格納する（ステップ１０９）。
以上の初期登録処理により、携帯デバイス１０を取得した使用者の生体情報と、クレジットカード情報が、携帯デバイス１０のデバイスＩＤと対応づけて認証サーバ４０の記憶部４２に格納される。
【００８１】
認証サーバ４０の制御部４１は、通信制御部４４を介して、初期登録の結果を初期登録装置２０に送る（ステップ１１０）。正常に登録が完了した、あるいは、既に、当該デバイスＩＤについてのクレジットカード情報又は生体情報が登録されており、初期登録ができない等の登録結果が初期登録装置２０に送られる。
【００８２】
初期登録装置２０の制御部２１は、通信制御部２４を介して認証サーバ４０からの登録結果を受信し、近距離通信制御部２３を介して携帯デバイス１０に登録結果を送る（ステップ１１１）。
携帯デバイス１０の制御部１５１は、近距離通信制御部１５３を介して登録結果を受信し、例えば、「登録完了」又は「登録できませんでした」といった登録結果を表示ディスプレイ１７に表示する（ステップ１１２）。
【００８３】
ステップ１１１で初期登録装置２０が登録結果を認証サーバ４０から受信した後、初期登録装置２０の制御部２１は、登録結果を初期登録装置２０の表示部２６に表示するようにしてもよい。この場合、携帯デバイス１０に登録結果を送信することなく、初期登録処理の担当者が、登録結果を携帯デバイス１０の使用者に通知するようにしてもよい。
【００８４】
以上の処理により、初期登録処理が完了し、携帯デバイス１０を取得した使用者の生体情報とクレジットカード情報が携帯デバイス１０のデバイスＩＤと対応づけて認証サーバ４０の記憶部４２に格納される。
この初期登録処理の完了後、携帯デバイス１０の使用者は、例えば、スポーツ観戦施設や野外フェスティバル等の会場の店舗で商品を購入することが可能になる。
【００８５】
図８は、携帯デバイス１０を使用した商品購入時の決済処理の流れを示すフローチャートである。
携帯デバイス１０を所有する使用者が、例えば、スポーツ観戦施設や野外フェスティバル等の会場の店舗で商品を購入する場合、店舗に設置された決済装置３０によって会計処理が行われる。
【００８６】
まず、携帯デバイス１０を所有する使用者が携帯デバイス１０を決済装置３０に近付けると（ステップ２０１）、携帯デバイス１０の近距離通信制御部１５３と決済装置３０の近距離通信制御部３３間で近距離通信が確立する。
【００８７】
決済装置３０の制御部３１は、近距通信制御部３３を介して、携帯デバイス１０に生体情報をリクエストする（ステップ２０２）。
携帯デバイス１０の制御部１５１は、ステップ２０２のリクエストを近距離通信制御部１５３を介して受信し、生体情報取得部１５５を起動し、生体情報を取得し、記憶部１５２に格納し（ステップ２０３）、携帯デバイス１０を識別可能にするデバイスＩＤと生体情報を、近距離通信制御部１５３を介して決済装置３０に送信する（ステップ２０４）。
【００８８】
決済装置３０の制御部３１は、近距離通信制御部３３を介してデバイスＩＤと生体情報を受信し、デバイスＩＤ、生体情報、及び、商品購入額を、通信制御部３４を介して認証サーバ４０に送信する（ステップ２０５）。
商品購入額は、例えば、店舗の店員が決済装置３０の入力部３５から入力してもよいし、商品に添付されたバーコードやＩＣタグを決済装置３０に接続された読み取り装置（図示せず）で読み取ってもよい。
【００８９】
認証サーバ４０の制御部４１は、通信制御部４４を介して受信したデバイスＩＤ及び生体情報、及び、商品購入額を記憶部４２に格納したうえ、認証処理を行う（ステップ２０６）。
すなわち、初期登録処理により登録されているデバイスＩＤに紐づけられた生体情報を記憶部４２から読み出し、ステップ２０６で記憶部４２に格納された生体情報とマッチングし、マッチングの整合度による認証を行う。整合度が所定の値以上の場合には認証成功と判断し、整合度が所定の値未満の場合には認証失敗とする。
【００９０】
認証結果が成功の場合（ステップ２０７のＯＫ）は、認証サーバ４０の制御部４１は、当該デバイスＩＤに紐づけて記憶部４２に登録されているクレジットカード情報と、商品購入額を決済サーバ５０に通信制御部４４を介して送信する（ステップ２０８）。
【００９１】
認証結果が失敗の場合（ステップ２０７のＮＧ）、認証サーバ４０の制御部４１は、認証結果として認証失敗の情報を、通信制御部４４を介して決済装置３０に送る（ステップ２２０）。
決済装置３０の制御部は、認証失敗の情報を受信すると、近距離通信制御部４３を介して携帯デバイス１０に通知し（ステップ２２１）、携帯デバイス１０の制御部１５１は、表示部１５４を制御して認証が失敗した旨を表示ディスプレイ１７に表示する（ステップ２２２）。
【００９２】
ステップ２２１で決済装置３０が認証失敗の情報を認証サーバ４０から受信した後、決済装置３０の制御部３１は、認証結果を決済装置３０の表示部３６に表示するようにしてもよい。この場合、携帯デバイス１０に認証結果を送信することなく、店舗の店員が、認証が失敗したことを携帯デバイス１０の使用者に通知するようにしてもよい。
【００９３】
認証サーバ４０による認証処理が成功し（ステップ２０７のＯＫ）、クレジットカード情報と商品購入額が決済サーバ５０へ送られると（ステップ２０８）、決済サーバ５０の制御部４１は、決済処理を行う（ステップ２０９）。
すなわち、決済サーバ５０に予め登録されているクレジットカード情報と、認証サーバ４０から受信したクレジットカード情報の認証処理を行い、認証が成功した場合には、商品購入額を当該クレジットカードで決済する。
【００９４】
クレジットカードの認証処理は、認証サーバ４０から受信したクレジットカードの識別番号について、予め決済サーバ５０に登録されているセキュリティー情報と、認証サーバ４０から受信したセキュリティー情報の一致／不一致を判定することにより行う。
【００９５】
決済サーバ５０の制御部４１は、決済結果を、通信制御部４４を介して決済装置３０に送信する（ステップ２１０）。クレジットカードの認証失敗や、決済完了、決済失敗等の情報が送られる。
決済装置３０は、通信制御部３４を介して決済結果を受信し、受信した決済結果を近距離通信制御部３３を介して携帯デバイス１０に送る（ステップ２１１）。
携帯デバイス１０の制御部１５１は、表示部１５４を制御して決済完了、又は、決済失敗、または、クレジットカードの認証失敗等の情報を表示ディスプレイ１７に表示する（ステップ２１２）。
【００９６】
ステップ２１１で決済装置３０が決済結果を決済サーバ５０から受信した後、決済装置３０の制御部３１は、決済結果を決済装置３０の表示部３６に表示するようにしてもよい。この場合、携帯デバイス１０に決済結果を送信することなく、店舗の店員が、決済結果を携帯デバイス１０の使用者に通知するようにしてもよい。
【００９７】
以上の処理により、本実施形態に係る決済システム１におけるクレジットカードによる決済処理が完了する。
これにより、携帯デバイス１０を装着した使用者は、商品購入の際、クレジットカードを出したり、セキュリティー情報を入力する必要がなく、携帯デバイス１０により取得される生体情報による個人認証で、商品購入の決済を行うことが可能になる。
【００９８】
次に、図９、図１０に沿って、本実施形態に係る決済システム１によるデポジット方式の決済処理について説明する。
（デポジット方式の決済処理）
【００９９】
図９は、決済システム１におけるデポジット方式の決済処理における初期登録処理の流れを示すフローチャートである。
【０１００】
携帯デバイス１０を取得した使用者は、スポーツ観戦施設や野外フェスティバル等の会場に設置された初期登録装置２０で予め初期登録処理を行う。
【０１０１】
まず、携帯デバイス１０が配布された使用者に携帯デバイス１０を装着させる（ステップ３０１）。このとき、電源部１５７を稼働し、携帯デバイス１０の各部に電力を供給する。
【０１０２】
携帯デバイス１０のＯＮ／ＯＦＦ検出部１５６がＯＮになると、携帯デバイス１０の制御部１５１は、生体情報取得部１５５を稼働し、生体情報を採取し、記憶部１５２に格納する（ステップ３０２）。
このとき、ＯＮ／ＯＦＦ検出部１５６の検出方法が生体情報の取得の有無である場合には、ステップ３０１の後、生体情報取得部１５５が稼働し、採取された生体情報は記憶部１５２に格納される。
【０１０３】
次に、制御部１５１は、近距離通信制御部１５３を稼働する。
使用者が腕に装着した携帯デバイス１０を初期登録装置２０に近付けると（ステップ３０３）、携帯デバイス１０の近距離通信制御部１５３と初期登録装置２０の近距離通信制御部２３間で無線通信が成立し、携帯デバイス１０の制御部１５１は、近距離通信制御部１５３を介して、携帯デバイス１０のデバイスＩＤと、生体情報取得部１５５により取得された生体情報を初期登録装置２０に送り、初期登録装置２０の近距離通信制御部２３は、デバイスＩＤと生体情報を受信し、初期登録装置２０の制御部２１は、デバイスＩＤと生体情報を記憶部２２に格納する（ステップ３０４）。
【０１０４】
携帯デバイス１０からデバイスＩＤ及び生体情報を受信すると、初期登録装置２０の制御部２１は、デポジット額を入力させる（ステップ３０５）。デポジット額の入力は、携帯デバイス１０の使用者が行ってもよいし、初期登録処理の担当者が行ってもよい。
デポジット方式では、初期登録装置２０の設置場所において使用者がデポジット額を支払う。
【０１０５】
次に、初期登録装置２０の制御部２１は、通信制御部２４を稼働し、ネットワーク７０を介して認証サーバ４０との通信を確立し、携帯デバイス１０のデバイスＩＤ、及び、生体情報、及び、デポジット額を認証サーバ４０に送る（ステップ３０６）。
【０１０６】
認証サーバ４０の制御部４１は、通信制御部４４を介してデバイスＩＤ、及び、生体情報、及び、デポジット額を受け取り、記憶部４２に格納する（ステップ３０７）。
以上の初期登録処理により、携帯デバイス１０を取得した使用者の生体情報と、デポジット額が、携帯デバイス１０のデバイスＩＤと対応づけて認証サーバ４０の記憶部４２に格納される。
【０１０７】
次に、認証サーバ４０は、認証サーバ４０の記憶部４２に格納されたデバイスＩＤと対応するデポジット額を、通信制御部４４を介して決済サーバ５０に送る（ステップ３０８）。
決済サーバ５０の制御部４１は、通信制御部４４を介して受信したデバイスＩＤに対応するデポジット額を決済サーバ５０の記憶部４２に格納し、初期登録処理が完了した旨を認証サーバ４０に送信する（ステップ３０９）。
【０１０８】
認証サーバ４０の制御部４１は、受取った完了通知を初期登録装置２０に送る（ステップ３１０）。
初期登録装置２０の制御部２１は、通信制御部２４を介して認証サーバ４０からの登録完了通知を受信し、近距離通信制御部２３を介して携帯デバイス１０に登録結果を送る（ステップ３１１）。
携帯デバイス１０の制御部１５１は、近距離通信制御部１５３を介して登録完了通知を受信し、登録完了を表示ディスプレイ１７に表示する（ステップ３１２）。
【０１０９】
ステップ３１１で初期登録装置２０が登録完了通知を認証サーバ４０から受信した後、初期登録装置２０の制御部２１は、登録完了を初期登録装置２０の表示部２６に表示するようにしてもよい。この場合、携帯デバイス１０に登録結果を送信することなく、初期登録処理の担当者が、携帯デバイス１０の使用者に登録が完了したことを通知するようにしてもよい。
【０１１０】
以上の処理により、初期登録処理が完了し、携帯デバイス１０を取得した使用者の生体情報が携帯デバイス１０のデバイスＩＤと対応づけて認証サーバ４０の記憶部４２に格納され、決済サーバ５０の記憶部４２には、デバイスＩＤと対応づけてデポジット額が格納される。
この初期登録処理の完了後、携帯デバイス１０の使用者は、例えば、スポーツ観戦施設や野外フェスティバル等の会場の店舗で商品を購入することが可能になる。
【０１１１】
図１０は、デポジット式の携帯デバイス１０を使用した商品購入時の決済処理の流れを示すフローチャートである。
携帯デバイス１０を所有する使用者が、例えば、スポーツ観戦施設や野外フェスティバル等の会場の店舗で商品を購入する場合、店舗に設置された決済装置３０によって会計処理が行われる。
【０１１２】
まず、携帯デバイス１０を所有する使用者が携帯デバイス１０を決済装置３０に近付けると（ステップ４０１）、携帯デバイス１０の近距離通信制御部１５３と決済装置３０の近距離通信制御部３３間で近距離通信が確立し、決済装置３０の制御部３１は、近距通信制御部３３を介して、携帯デバイス１０に生体情報をリクエストする（ステップ４０２）。
【０１１３】
携帯デバイス１０の制御部１５１は、ステップ２０２のリクエストを近距離通信制御部１５３を介して受信し、生体情報取得部１５５を起動し、生体情報を取得し、記憶部１５２に格納し（ステップ４０３）、携帯デバイス１０のデバイスＩＤと生体情報を、近距離通信制御部１５３を介して決済装置３０に送信する（ステップ４０４）。
【０１１４】
決済装置３０の制御部３１は、近距離通信制御部３３を介してデバイスＩＤと生体情報を受信し、デバイスＩＤ、生体情報、及び、商品購入額を、通信制御部３４を介して認証サーバ４０に送信する（ステップ４０５）。
商品購入額は、例えば、店舗の店員が決済装置３０の入力部３５から入力してもよいし、商品に添付されたバーコードやＩＣタグを決済装置３０に接続された読み取り装置（図示せず）で読み取ってもよい。
【０１１５】
認証サーバ４０の制御部４１は、通信制御部４４を介して受信したデバイスＩＤ及び生体情報、及び、商品購入額を記憶部４２に格納したうえ、認証処理を行う（ステップ４０６）。
すなわち、初期登録処理により登録されているデバイスＩＤに紐づけられた生体情報を記憶部４２から読み出し、ステップ４０６で記憶部４２に格納された生体情報とマッチングし、マッチングの整合度による認証を行う。整合度が所定の値以上の場合には認証成功と判断し、整合度が所定の値未満の場合には認証失敗とする。
【０１１６】
認証結果が成功の場合（ステップ４０７のＯＫ）は、認証サーバ４０の制御部４１は、当該デバイスＩＤと商品購入額を決済サーバ５０に通信制御部４４を介して送信する（ステップ４０８）。
【０１１７】
認証結果が失敗の場合（ステップ４０７のＮＧ）、認証サーバ４０の制御部４１は、認証結果として認証失敗の情報を、通信制御部４４を介して決済装置３０に送る（ステップ４２０）。
決済装置３０の制御部は、認証失敗の情報を受信すると、近距離通信制御部４３を介して携帯デバイス１０に通知し（ステップ４２１）、携帯デバイス１０の制御部１５１は、表示部１５４を制御して認証が失敗した旨を表示ディスプレイ１７に表示して処理を終了する（ステップ４２２）。
【０１１８】
ステップ４２１で決済装置３０が認証失敗の情報を認証サーバ４０から受信した後、決済装置３０の制御部３１は、認証結果を決済装置３０の表示部３６に表示するようにしてもよい。この場合、携帯デバイス１０に認証結果を送信することなく、店舗の店員が、認証が失敗したことを携帯デバイス１０の使用者に通知するようにしてもよい。
【０１１９】
認証サーバ４０による認証処理が成功し（ステップ４０７のＯＫ）、デバイスＩＤと商品購入額が決済サーバ５０へ送られると（ステップ４０８）、決済サーバ５０の制御部４１は、決済処理を行う（ステップ４０９）。
すなわち、決済サーバ５０にデバイスＩＤに対応づけて格納されているデポジット額の残額から商品購入額を差し引いて、デポジット額の残額を更新することにより決済する。
【０１２０】
決済サーバ５０の制御部４１は、決済結果を、通信制御部４４を介して決済装置３０に送信する（ステップ４１０）。例えば、決済完了とデポジット額の残額を送信すればよい。
また、ステップ４０９の決済処理で、商品購入額が決済サーバ５０の記憶部４２に格納されていたデポジット額の残額を上回った場合には、決済ができない旨の情報と残額を送信するようにすればよい。
【０１２１】
決済装置３０は、通信制御部３４を介して決済結果を受信し、受信した決済結果を近距離通信制御部３３を介して携帯デバイス１０に送る（ステップ４１１）。
携帯デバイス１０の制御部１５１は、表示部１５４を制御して決済完了、又は、決済失敗、及びデポジット額の残額を表示ディスプレイ１７に表示する（ステップ４１２）。
【０１２２】
ステップ４１１で決済装置３０が決済結果を決済サーバ５０から受信した後、決済装置３０の制御部３１は、決済結果を決済装置３０の表示部３６に表示するようにしてもよい。この場合、携帯デバイス１０に決済結果を送信することなく、店舗の店員が、決済結果を携帯デバイス１０の使用者に通知するようにしてもよい。
【０１２３】
以上の処理により、本実施形態に係る決済システム１におけるデポジット方式による決済処理が完了する。
これにより、携帯デバイス１０を装着した使用者は、商品購入の際、現金やクレジットカードを財布から出す必要なく、携帯デバイス１０により取得される生体情報による個人認証で、商品購入の決済を行うことが可能になる。
【０１２４】
（登録した生体情報の削除）
本発明の実施形態に係る決済システム１は、例えば、スポーツ観戦施設や野外フェスティバル等の会場で、現金やクレジットカードを使用することなく商品を購入できるようにすることを目的としており、施設や会場内では携帯デバイス１０を腕に装着していることを前提としている。
【０１２５】
しかしながら、携帯デバイス１０をはずしてしまったり、落としてしまう場合もあり得る。このような場合のセキュリティーを図るための手段について、次に説明する。
【０１２６】
携帯デバイス１０の本体部分１５に、ＯＦＦ時間測定部を設ける。
すなわち、ＯＦＦ時間測定部は、ＯＮ／ＯＦＦ検出部１５６により検出されたＯＦＦの時間を計測する。
【０１２７】
決済処理を行う際に、携帯デバイス１０を決済装置３０に近付けると、決済装置３０の制御部３１は、図８のステップ２０２およびステップ１０の４０２の生体情報のリクエスト処理の前に、ＯＦＦ時間をリクエストする。
携帯デバイス１０の制御部１５１は、このリクエストを受けて、ＯＦＦ時間測定部で計測されたＯＦＦの時間とデバイスＩＤを決済装置３０に送る。
【０１２８】
決済装置３０の制御部３１は、ＯＦＦの時間が所定の時間（例えば、１時間）よりも長い場合は、認証サーバ４０にデバイスＩＤを送り、生体情報の削除をリクエストする。
認証サーバ４０は、決済装置３０からの削除のリクエストを受けると、受信したデバイスＩＤについての生体情報を記憶部４２から削除する。
【０１２９】
以上の処理により、携帯デバイス１０を所定の時間以上、腕から外していた場合には、認証サーバ４０から生体情報が削除されるため、個人認証ができなくなり、これにともなって、決済処理を不可能になり、セキュリティーを向上することが可能になる。
【０１３０】
携帯デバイス１０を所定の時間以上、腕から外していた場合には、認証サーバ４０から生体情報が削除する方法としては、このほか、携帯デバイス１０が非常用通信制御部（図示しない）をさらに備え、携帯デバイス１０の制御部１５１が、ＯＦＦ時間測定部で測定したＯＦＦ時間が所定の時間を上回った場合に、非常用通信制御部を制御して、認証サーバ４０に対して非常用信号をデバイスＩＤとともに送信するようにしてもよい。
【０１３１】
認証サーバ４０は、非常用信号を受信すると、記憶部４２に格納されている当該デバイスＩＤに対応する生体情報を削除する。
以上の処理により、セキュリティーを向上することが可能になる。
【０１３２】
以上に説明した本実施形態の決済システム１により、携帯デバイス１０を腕に装着しておけば、現金やクレジットカードを使用することなく、商品購入の決済をすることが可能になる。
【０１３３】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【０１３４】
１………決済システム
１０………携帯デバイス
１５………本体部分
１５３………近距離通信制御部
１５５………生体情報取得部
１５６………ＯＮ／ＯＦＦ検出部
２０………初期登録装置
３０………決済装置
４０………認証サーバ
５０………決済サーバ
６０………近距離通信
７０………ネットワーク
【図１】
2015055952.tif 000003
【図２】
2015055952.tif 000004
【図３】
2015055952.tif 000005
【図４】
2015055952.tif 000006
【図５】
2015055952.tif 000007
【図６】
2015055952.tif 000008
【図７】
2015055952.tif 000009
【図８】
2015055952.tif 000010
【図９】
2015055952.tif 000011
【図１０】
2015055952.tif 000012